(57)【要約】      （修正有）【課題】ベッドを従来の寝具としての目的だけでなく、ベッド上で行う健康維持のための軽運動や、男女間の性行為を支援できるような生活環境器具として利用できる、ベッド家具のヘッド部の構造を提供する。【解決手段】ベッド家具２０Ａのヘッド部２５の構造は、握り取っ手１０をヘッド部２５に設けていることを特徴としており、望ましい態様では、握り取っ手１０は、台座３を介してヘッド部２５に取り付けられたり、ヘッド部２５に形成された穴部に収容されている。【選択図】図１
0003135714.tif 000002
【実用新案登録請求の範囲】
【請求項１】
握り取っ手をヘッド部に設けたことを特徴とする、ベッド家具のヘッド部の構造。
【請求項２】
請求項１において、
上記ベッド家具は、人を載せるベッド本体部の頭部側に、上記ヘッド部としてヘッドボードを取り付けた構造とした、ベッド家具のヘッド部の構造。
【請求項３】
請求項１において、
上記ベッド家具は、上記ヘッド部として壁面に造作されたヘッドパネルと、人を載せるベッド本体部とを組み合わせて構成されたものである、ベッド家具のヘッド部の構造。
【請求項４】
請求項１〜３のいずれかにおいて、
上記握り取っ手は、台座を介して、上記ヘッド部に取り付けられている、ベッド家具のヘッド部の構造。
【請求項５】
請求項１〜４のいずれかにおいて、
上記握り取っ手は、上記ヘッド部に形成された穴部に収容されている、ベッド家具のヘッド部の構造。
【請求項６】
請求項１〜５のいずれかにおいて、
上記握り取っ手は、その向きが回動調節可能に取り付けられている、ベッド家具のヘッド部の構造。
【考案の詳細な説明】
【技術分野】
【０００１】
本考案は、健康増進など種々の目的に使用できるベッド家具のヘッド部の構造に関するものである。
【背景技術】
【０００２】
従来のベッドは、介護用ベッドや病院用ベッドなどを除いては、その上で人を心地よく睡眠させる目的で製造されており、そのため、睡眠中は肉体的な負担がかからず、かつリラックスした姿勢が保持できるように、おもにクッション性やサイズなどを考慮して製造されたものがほとんどである。
【０００３】
まれに、ベッド上で運動できることを目的としたものも提案されている。例えば、特許文献１には筋肉の伸張運動が可能な健康ベッドが記載されている。
【特許文献１】実用新案登録３０６０８１０号公報
【考案の開示】
【考案が解決しようとする課題】
【０００４】
しかしながらこのものは、ベッドというよりは、健康器具に近いものであり、睡眠はおろか体を休めることも困難で、本来の睡眠用のベッドとしての機能はないにひとしい。このように従来では、ベッド上で睡眠する前や目覚め後に、簡易に軽運動ができるような構造的特徴を有したものは提案されていない。
【０００５】
また、ベッドは男女の性行為を行う生活家具としても利用されるが、性行為をしやすくするための構造的工夫もほとんどされていないのが実情である。
【０００６】
本考案は、このような事情を考慮して提案されたもので、その目的は、ベッドを従来の寝具としての目的だけでなく、ベッド上で行う健康維持のための軽運動や、男女間の性行為を支援できるような生活環境器具として利用できる、ベッド家具のヘッド部の構造を提供することにある。
【課題を解決するための手段】
【０００７】
上記目的を達成するために、請求項１に記載のベッド家具のヘッド部の構造は、そのヘッド部に、握り取っ手を設けたことを特徴とする。ここで、ヘッド部とは、ベッド本体部に付設されたヘッドボードや、壁面に接するように設けたヘッドパネル、ベッド宮など、ベッドに付随し、人がベッドに横になった状態で手の届く範囲に設置されたあらゆる造作物が含まれる。
【０００８】
請求項２では、ベッド家具が、人を載せるベッド本体部の頭部側にヘッド部としてヘッドボードを取り付けた構造としたものである。
【０００９】
請求項３では、ベッド家具が、ヘッド部として壁面に造作されたヘッドパネルと、人を載せるベッド本体部とを組み合わせて構成されたものである。
【００１０】
請求項４では、握り取っ手が台座を介してヘッド部に取り付けられている。
【００１１】
請求項５では、握り取っ手がヘッド部に形成された穴部に収容されている。
【００１２】
請求項６では、握り取っ手が、その向きが回動調節可能に取り付けられている。
【考案の効果】
【００１３】
請求項１に記載のベッド家具のヘッド部の構造によれば、ヘッド部に握り取っ手を設けているため、握り取っ手を一方の手や両手で掴めば、ベッド上に寝転んだ状態で、伸張運動や腹筋運動などの軽運動が簡易に行える。また、男女間の性交中に握り取っ手を握れば、姿勢が安定し、余分な力をかけずに前後運動などの性行為での動作が無理なくスムースに行え、充実したセックスライフを楽しめる。
【００１４】
また、取っ手が握り構造であるため、握っては離す繰り返し動作が簡単に行え、指先を繰り返し動かすことで脳の活性化も期待でき、ボケや痴呆症の予防にも役立つ。
【００１５】
請求項２に記載の構造によれば、ヘッドボードに握り取っ手を設けた構成であるため、頭部にもっとも近く、かつ睡眠のじゃまにならない位置に取っ手を設けることができ、それによって、ベッドから起き上がることなく腕を頭部方向に伸ばすだけで取っ手を掴み、上記の動作が可能となる。
【００１６】
請求項３に記載の構造によれば、壁面に造作されたヘッドパネルに握り取っ手を設ける構成であるため、ヘッドボードが一体化されていないベッド家具でも、請求項１と同様の効果を奏させることができる。
【００１７】
請求項４に記載の構造によれば、握り取っ手が台座を介してヘッド部に取り付けられる構造であるため、あらかじめ握り取っ手と台座とを組付け固定させておけば、現場で握り取っ手をベッドのヘッド部に後付けする場合に作業がきわめて容易に行える。
【００１８】
請求項５に記載の構造によれば、握り取っ手が、ヘッド部に形成された穴部に収容されているため、就寝時に寝返りを打ったときなどに、頭をぶつけるおそれがない。
【００１９】
請求項６に記載の構造によれば、握り取っ手の向きが回動調節可能となっているため、握り取っ手の向きを、用途や個人ごとの体格などに応じて自由に設定できる。
【考案を実施するための最良の形態】
【００２０】
以下に、本考案の実施の形態について、図面を参照しながら説明する。
【００２１】
図１に示すベッド家具２０Ａは、上面にマットレス２４が載置されたベッド本体部２１と、そのベッド本体部２１の頭部側に連結したヘッドボード２５Ａよりなるヘッド部２５とを備えている。
【００２２】
ベッド本体部２１は、平行に離間して対向させた１対の側板２２（一方のみ図示）と、側板２２の一端に両端が連結された端板２３と、マットレス２４を載置する床板（不図示）とよりなり、ヘッドボード２５Ａが側板２２の他端に連結されている。ベッド本体２１の床板は、端板２３と、ヘッドボード２５Ａと、左右１対の側板２２とで支持されている。
【００２３】
ヘッドボード２５Ａは、天面部２６と、両側部２７（一方のみ図示）と、前面部２８とを有した平板構造となっている。なお、ヘッドボードは中空構造のものでもよく、またベッド本体部２１に連設され、照明器具や棚、引出し、小物入れなどが設けられた、いわゆるベッド宮でもよい。
【００２４】
ヘッドボード２５Ａの前面部２８の、マットレス２４より上方位置には、１対の握り取っ手１０、１０が取り付け固定されている。本例に示す握り取っ手１０は、木材や金属（アルミニウムなど）、樹脂などを断面円形で、Ｌ字形に加工して形成された握り部１１と、その握り部１１をヘッドボード２５Ａに固定させ、握り部１１を取っ手として人が握ることができるように前面部２８から離間させて連結させた３本の脚部１２とを備えている。これらの脚部１２は、ヘッドボード２５Ａに固定できるように取付端にネジ部（不図示）が形成されている。
【００２５】
図１に示す握り部１１は、第１の握り部１１Ａと、第２の握り部１１ＢとをＬ字状に連設させており、第１の握り部１１Ａ、第２の握り部１１Ｂは、取り付けられた状態では、それぞれが水平、垂直となっている。このような態様をダブルベッド以上のサイズのものに適用すれば、２人で使用でき、セックスする際に、特に男女で握って使用できる。
【００２６】
なお、いずれの例も握り部１１の寸法は限定されないが、上記の例では、第１、２の握り部１１Ａ、１１Ｂの各長さは、片手で握ることのできる１０〜２０ｃｍ程度とすることが望ましい。また、本例では、１対の握り取っ手を設けたものを示しているが、奇数個または複数対のものを設けた構造としてもよく、例えば、両手で握ることのできる、長さ３０〜６０ｃｍ程度の一文字形の握り取っ手を１個のみ設けた構成としてもよい。なお、握り部の形状としては種々のものが想定でき、後述する図６では複数の形状例を図示している。
【００２７】
このように握り取っ手１０を設けたヘッド部２５の構造によれば、人がベッド本体２１のマットレス２４上に仰向け、うつ伏せまたは座った状態など様々な姿勢で、１対の握り取っ手１０、１０を両手で握って身体を支えることで、腕、肩など種々の筋肉、背骨の伸張運動および腹筋運動などが、就寝前、目覚め後などに簡単かつ手軽に行える。これによって運動不足が解消できる。
【００２８】
また、握り部１１を握って使用するものであるため、伸張運動や腹筋運動を行わなくても、握っては離す繰り返し動作を行って指先に刺激を与えることで、脳を活性化でき、ボケや痴呆症などを防止することもできる。握り部１１を弾性材料で形成すれば、握力を増強することもできる。
【００２９】
さらに、図１の例では、握り取っ手１０が２つの握り部１１Ａ、１１Ｂを備えているため、例えば女性が仰向けになって両手でそれぞれ、両握り取っ手１０、１０の第１の握り部１１Ａ、１１Aを握り、男性がうつ伏せ状態で両手でそれぞれ、両握り取っ手１０、１０の第２の握り部１１Ｂ、１１Bを握ることで、正常位での性交の姿勢を安定させることができ、そのため、マットレスのクッションやシーツのすべりによる体の位置ずれが起こりにくく、性交時の絶え間のない前後揺動運動などがスムースに行える。また、その他の性行為動作もしやすい。なお、男女いずれか一方が握り取っ手１０を握っても、上記の効果は期待できる。
【００３０】
特に、中高齢者や体力のない者も、握り取っ手１０をしっかりと掴んでおれば、性交中に体勢を崩すことなく、余分な筋肉を使うこともなく、長時間の前後運動等に対応できる。また、身体障害者の性交の補助にもなり得る。
【００３１】
さらに、ベッド本体部２０の上で握り取っ手１０を背にして座り、両手を後に回して握り取っ手１０を握れば、上半身を後方に傾けた姿勢を維持できるため、そのような座位姿勢でのセックスも体を痛めることなくできる。
【００３２】
図２は、本考案の他の実施例を示した斜視図である。
【００３３】
本例では、ベッド家具２０Ｂは、ヘッドボードは有さず、ベッド本体部２１と、ヘッド部２５として壁面に造作されたヘッドパネル２５Ｂとを組み合わせて構成される。ベッド本体部２１は、頭部側にも端板２３を備え、それら両端板２３によって支持されている。なお、ベッド本体部２１の他の構成については、図１のものと同様であるため、同一符号を付して、説明は省略する。
【００３４】
ヘッドパネル２５Ｂは、ベッド本体部２１に付随して、頭部側の壁面に造作されている中空の構造物であり、その天面部２６上には種々の小物を載せ置けるようになっている。
【００３５】
本例では、１対の一文字形の握り取っ手１０が、ヘッドパネル２５Ｂの天面部２６に直線状に並べて取り付け固定されている。この握り取っ手１０は、円柱状で一文字形の握り部１１と、その握り部１１を天面部２６に固定させ、取っ手として握ることができる高さ位置に連結させた２本の脚部１２とを備えている。
【００３６】
このようなヘッド部２５の構造によっても、図１の例と同様の運動支援効果、性行為補助効果などが得られる。
【００３７】
図３は、握り取っ手の取り付け構造の一例を示した分解斜視図である。この握り取っ手１０はＬ字状に形成されて、水平握り部と垂直握り部とを構成している。握り部をなす化粧部１１ａの裏面に形成した凹所１１ｄに、３本のボルト３ａを貫通させた裏板１１ｂを嵌入れ、裏板１１ｂよりビス１１ｃを螺入させて、裏板１１ｂを化粧部１１ａに固定した後、さらに裏板１１ｂより突出したボルト３ａの先端をヘッド部２５に形成した孔部２５ａより突出させて、ワッシャとナット１２ｃで締結して固定しており、ボルト３ａは、ヘッド部２５に締結される前に、スリーブ１２ｂを外嵌させて露出させないようにしている。
【００３８】
図４は、握り取っ手の構造、形状の他例を示す図で、（ａ）は斜視図、（ｂ）は側面図である。この握り取っ手１０は、円柱状の握り部１１と、２本のＴ字形の脚部１２とを備えており、脚部１２は、４箇所でネジ止め固定できる基部片１２ａと、握り部１１を取っ手として握ることができる高さ位置に固定させる起立片１２ｂとよりなる。
【００３９】
ついで、握り取っ手１０の形状や配置の種々の態様について、図５，６を参照しながら説明する。
【００４０】
図５は、３種の握り取っ手１０（またはその握り部１１）の斜視図を示している。図５（ａ）では、握り部１１が、握ったときの指に合致できる波形の形状を有しており、手のひらに心地よくフィットする。図５（ｂ）では、角形の握り部１１により手のひらへの刺激が得られる。図５（ｃ）では、握り取っ手１０は脚部１２が握り部１１の両端より折曲するように延設され、一体的に形成されており、その脚部１２が平板状の台座１３に固定されている。握り取っ手１０をヘッド部２５に後付けする場合、あらかじめ握り取っ手１０を台座１３に固定し組付けておけば、現場での作業を容易に行える。
【００４１】
また図６は、１対の握り取っ手１０の相互の取り付け位置関係の複数例を示した模式平面図である。なお、脚部の図示は省略している。また、これらの例は、図１に示したヘッドボード２５Ａの前面部２８などの垂直面、または図２に示したヘッドパネル２５Ｂの天面部２６を構成する天板などの水平面のいずれにも適用可能である。
【００４２】
図６（ａ）はＬ字形の握り取っ手１０を、図１の例とは向きを変えて配置した例、（ｂ）は２対の一文字形の握り取っ手１０を縦、横に並べた例、（ｃ）は１対の一文字形の握り取っ手１０と、１個の長めの一文字形の握り取っ手１０とを２列に並べた例、（ｄ）はドーナツ形（円形吊革状）の握り取っ手１０を並べた例、（ｅ）は三角吊革状の握り取っ手１０を並べた例である。なおドーナツ形、三角吊革状のものは、取り付け面に対して垂直に立設固定させるようにしてもよい。
【００４３】
さらに、図６（ｆ）はＷ字形のものを１個配置した例、（ｇ）は両端に折曲片を設けた長手の握り部を有したものを１個配置した例である。以上の例は、１対のものを左右対称に設置するか、あるいは左右対称形状のものを１個設置した例を示しているが、それらには限定されず、１対のものを非対称に配置してもよいし、非対称形状のものを１個配置してもよいし、形状の異なる複数のものを配置してもよい。
【００４４】
図７は、本考案のヘッド部構造の他の実施例を示したもので、握り取っ手を収容する穴部を設けたヘッド部構造の一例を示した斜視図である。
【００４５】
ヘッド部（ヘッドボード）２５には、１対の握り取っ手１０をそれぞれ収容させる１組の穴部３０が形成されている。この穴部３０は、握り取っ手１０を前面部２８よりも突出させず、かつ手の出し入れおよび握った状態での保持ができる程度の寸法と形状を有している。
【００４６】
このように、ヘッド部２５が穴部３０に握り取っ手１０を収容させた構造であるため、就寝時に寝返りを打ったときなどに、頭をぶつけるおそれがない。また突出物がないため見栄えもよい。
【００４７】
図８は、握り取っ手の向きが変更できるヘッド部構造を示している。その構造説明図で、（ａ）はヘッドボードの部分斜視図、（ｂ）は分解斜視図である。
【００４８】
握り取っ手１０は、円柱台座３１に固定され、台座３１全体がヘッド部２５に形成した円形の穴部３０内に収容されており、回転軸機構（不図示）で１８０度あるいは３６０度回動自在に取り付けられている。台座３１の側面にはバネ（不図示）により押し込み可能な係止突起３２が設けられ、握り取っ手１０の取付面には、そのバネを収縮可能に操作させるボタン３３が設けられている。
【００４９】
また、穴部３０には、その内壁の、係止突起３２に相当する深さ位置に所定間隔で複数の係止穴３４が開設されている。
【００５０】
このような構造では、円柱台座３１を穴部３０に収容させた状態で、係止突起３２が穴部３０のいずれかの係止穴３４に係止されると、その位置で固定（ロック）される一方、ボタン３３を押下すると係止突起３１がへこんで係止穴より外れてロックが解除され、ボタン３３を押下したままで回転させることができ、所望の位置でボタン３３の押下をやめれば、係止突起３１が突出して係止穴３４に係止される。例えば、全周にわたり１２個の係止穴３４を設ければ、握り取っ手１０の方向を３０度ごとに角度調節することができる。
【００５１】
このように握り取っ手１０を回動調節可能とすることで、使用者は利用目的、利用態様に応じて、握り取っ手１０を所望の方向に向けて、使いやすい状態に設定できる。
【００５２】
なお、ボタン３３押下によるロック解除機構の代わりに、握り取っ手１０を台座３１とともに押し込むことでロックを解除するようにしてもよい。また、ロック機構を設けずに、常時回動可能としたものでもよいし、更に、目的に応じて、ロックした状態で使用する固定モードと、ロックを解除した状態で使用する回転モードとの切り換えができる構造にしてもよい。また、握り取っ手１０を、円柱台座３１を回動可能に取り付けている穴部３０に没入させて、握り取っ手１０がヘッド部２５の表面から突出させない構造にしてもよい。
【００５３】
以上の複数の実施例では、一般家庭やホテルで使用される睡眠用のベッドを想定しているが、介護用ベッドや病院用ベッドにも適用可能である。また、ベッド本体部に、介護用ベッドなどで使用される背上げ機構を設けたものにも適用可能である。背上げ機構を有したものでは、傾斜させた状態で、握り取っ手を掴んで引っ張れば位置ずれを容易に修正することができ、またぶら下がり健康器具における懸垂のような使用方法にも利用でき、これらの場合には、その用途に応じて適宜変更すればよい。
【図面の簡単な説明】
【００５４】
【図１】本考案のヘッド部構造を有したベッド家具の一例を示した斜視図である。
【図２】本考案の他の実施例を示した斜視図である。
【図３】握り取っ手の取り付け構造の一例を示した分解斜視図である。
【図４】握り取っ手の他例を示したもので、（ａ）は斜視図、（ｂ）は側面図である。
【図５】（ａ）〜（ｃ）は握り取っ手（またはその握り部）の他の形状例を示した斜視図である。
【図６】（ａ）〜（ｅ）は１対の握り取っ手の相互の取り付け位置関係の例を示した平面図である。
【図７】握り取っ手を収容する穴部を設けたヘッド部の一例を示した斜視図である。
【図８】握り取っ手の向きを変更できるヘッド部構造の一例を示したもので、（ａ）はヘッドボードの部分斜視図、（ｂ）は分解斜視図である。
【符号の説明】
【００５５】
２０Ａ、２０Ｂ      ベッド家具
２１      ベッド本体部
２５      ヘッド部
２５Ａ      ヘッドボード
２５Ｂ      ヘッドパネル
２６      天面部
２７      側部
２８      前面部
３０      穴部
１０      握り取っ手
１１      握り部
１２      脚部
１３      台座
【図１】
0003135714.tif 000003
【図２】
0003135714.tif 000004
【図３】
0003135714.tif 000005
【図４】
0003135714.tif 000006
【図５】
0003135714.tif 000007
【図６】
0003135714.tif 000008
【図７】
0003135714.tif 000009
【図８】
0003135714.tif 000010